(57)【特許請求の範囲】
【請求項１】
頂壁と側周壁、中央部に螺着筒を垂設したキャップ躯体とを具えたチューブ容器のキャップであって、
キャップは、その横断面形状を、チューブ容器の楕円形肩部の形状に一致させており、
キャップ躯体には、長手方向に延びる廃棄チューブ容器の丸め込み胴部が嵌挿される大きさの収納孔と、該収納孔と頂壁上面とを連通し、廃棄チューブ容器の胴部の上部が嵌合される幅の開口が延設されており、
前記収納孔と開口によって、丸め込まれたチューブ容器を保持するようにしたことを特徴とするチューブ容器のキャップ。
【請求項２】
キャップの頂壁上面、側周壁周面の双方、またはいずれか一方に、剥離可能なラベルを付着させ、収納孔、開口の少なくとも一方を被いかくすようにしたことを特徴とする請求項１記載のチューブ容器のキャップ。
【請求項３】
キャップに、収納孔と開口を被い隠すカバー体を離脱自在として装着したことを特徴とする請求項１記載のチューブ容器のキャップ。
【発明の詳細な説明】
【０００１】
【発明の属する技術分野】
本発明は、チューブ容器のキャップに関する。
【０００２】
【発明が解決しようとする課題】
近年、廃棄物の減量化が求められるようになり、プラスチック容器の押潰し廃棄が行われるようになっている。
プラスチック製のチューブ容器を、折りたたんで押潰した状態でキャップを閉じて廃棄することが奨励されているが、キャップをしっかりと閉じないとチューブ容器が復元して外気を吸い込み使用中と同じ容積になり、また、キャップをかたく閉じても折りたたんだ胴部は復元して扁平な状態となり、廃棄物としての容量はさほど減少しない。
【０００３】
本発明は、上記の事情を考え、チューブ容器を丸め込んだ状態で廃棄するようにしたチューブ容器のキャップを提供することを目的とする。
【０００４】
【課題を解決するための手段】
本発明は、上記の課題を解決するため、チューブ容器のキャップとして、頂壁と側周壁、中央部に螺着筒を垂設したキャップ躯体とを具えたチューブ容器のキャップであって、キャップは、その横断面形状を、チューブ容器の楕円形肩部の形状に一致させており、キャップ躯体には、長手方向に延びる廃棄チューブ容器の丸め込み胴部が嵌挿される大きさの収納孔と、該収納孔と頂壁上面とを連通し、廃棄チューブ容器の胴部の上部が嵌合される幅の開口が延設されており、前記収納孔と開口によって、丸め込まれたチューブ容器を保持するようにしたことを特徴とする構成を採用する。
【０００５】
収納孔および開口を被い隠す手段として、キャップの頂壁上面、側周壁周面の双方、またはいずれか一方に、剥離可能なラベルを付着させ、収納孔、開口の少なくとも一方を被いかくすようにしたことを特徴とする構成、または、キャップに、収納孔と開口を被い隠すカバー体を離脱自在として装着したことを特徴とする構成を採用する。
【０００６】
【発明の実施の形態】
次に、本発明の実施形態について、図面を参照して説明する。
図１において、Ａはチューブ容器、Ｂはキャップで、いずれも合成樹脂で成形されている。
図１，２に示すように、チューブ容器Ａは、口部１と楕円形の肩部２と、肩部２の周縁に接合されたチューブによって形成された胴部３と、胴部３の底端を接着した底シール部４とからなっており、口部１外周には、ねじ５が螺設されている。
【０００７】
キャップＢは、肩部２と同形の楕円形の頂壁１０と、側周壁１１とを具えており、頂壁１０の下方には、横方向に延びるキャップ躯体１２が配設されている。キャップ躯体１２には、長手方向に延びる収納孔１３が穿孔されており、収納孔１３と頂壁１０上面との間には、開口１４が刻設されている。
キャップ躯体１２の中央には、内周に口部１のねじ５に螺合するねじ１５を螺設した螺着筒１６が垂設されている。
【０００８】
次に、上記チューブ容器の作用効果について説明する。
内容物を押出し終わってチューブ容器を廃棄するときには、図３に示すように、底シール部４から折りたたんで胴部３を丸め込み、丸め込み胴部３ａとする。次いで、丸め込み胴部３ａを収納孔１３に、肩部２に続く胴部３の上部３ｂを開口１４に横方向から挿入するようにして、廃棄チューブ容器ＡａをキャップＢに結合一体化する。
【０００９】
廃棄チューブ容器Ａａは、その丸め込み胴部３ａが収納孔１３内に挿入、拘束されるので復元することはなく、小容量の廃棄物として、キャップＢとともに廃棄することができる。
【００１０】
次に、キャップの形状に係る変形実施例について説明する。
前記実施形態では、チューブ容器の肩部の形状を楕円形としたが、肩部を円形とし、それに応じて、キャップの形状を、図４（ａ），（ｂ）に示すように、円形または角形としてもよい。
【００１１】
また、収納孔１３と開口１４との方向を、図４（ｃ）に示すように、楕円の短径方向に延びるようにしてもよい。
この場合は、廃棄チューブ容器Ａａの端部は収納孔１３より突出することになるが、丸め込み胴部３ａは復元することはないから、廃棄物を小容量とすることができる。
【００１２】
次に、キャップのカバーに係る変形実施例について、図面を参照して説明する。
まず、ラベルを用いた実施例について説明すると、図５（ａ）において、Ｂａは第１実施形態と同一のキャップであり、キャップＢａの頂壁１０ａ、側周壁１１ａの双方、またはいずれか一方には表面を覆うラベルＣ１，Ｃ２が貼着されている。
【００１３】
ラベルＣ１，Ｃ２は、プラスチックフィルムまたは紙製であって、収納孔１３ａ、また開口１４ａを被い隠すことができる。
チューブ容器の廃棄にあたっては、ラベルＣ１，Ｃ２を剥がして収納孔１３ａ、開口１４ａを露出させ、丸め込んだ廃棄チューブ容器を挿入し、一体化する。
【００１４】
次に、カバー体を用いた実施例について説明すると、図５（ｂ）において、Ｂｂはキャップ、Ｄはフィルムまたはシートから成形されたカバー体である。
カバー体Ｄは、キャップＢｂと同形の頂壁２０と側周壁２１とからなっており、キャップＢｂの側周壁１１ｂには、所望に応じ段部２２が設けられている。
カバー体Ｄの装着にあたっては、側周壁２１とキャップＢｂの側周壁１１ｂとは面一になるとともに、着脱可能に嵌挿されている。
【００１５】
チューブ容器の廃棄にあたって、カバー体Ｄを取り外すと、収納孔１３ｂと開口１４ｂが露出されるので、前実施例と同様に、廃棄チューブ容器とキャップを結合し、一体化することができる。
【００１６】
チューブ容器が金属製の場合には、丸め込まれた胴部は復元することはないが、本発明のキャップを用いると、チューブ容器とキャップを一体として廃棄することができる。
【００１７】
【発明の効果】
本発明は、上記のように構成されているから、次の効果を奏する。
チューブ容器のキャップに、丸め込み胴部の収納孔を設けたから、廃棄時に、チューブ容器を折りたたんで丸め込み胴部を収納孔に挿入、保持させるので、キャップとチューブ容器を一体とし、小容量に減容された廃棄物とすることができる。
【図面の簡単な説明】
【図１】本発明チューブ容器とキャップの斜視図である。
【図２】キッャプの説明図で、（ａ）は上面図、（ｂ）は図（ａ）のＡ−Ａ線における断面図、（ｃ）は底面図である。
【図３】丸め込まれたチューブ容器とキャップの廃棄時の説明図で、（ａ）はチューブ容器の結合前、（ｂ）は結合時の状態図である。
【図４】図（ａ），（ｂ），（ｃ）は、それぞれキャップの形状を異にする各実施例の説明図である。
【図５】図（ａ），（ｂ）は、それぞれキャップのカバーに係る実施例の説明図である。
【符号の説明】
Ａ              チューブ容器
Ａａ            廃棄チューブ容器
Ｂ、Ｂａ、Ｂｂ  キャップ
Ｃ１、Ｃ２      ラベル
Ｄ              カバー体
１              口部
２              肩部
３              胴部
３ａ            丸め込み胴部
３ｂ            上部
４              底シール部
５              ねじ
１０、１０ａ    頂壁
１１、１１ａ、１１ｂ  側周壁
１２                  キャップ躯体
１３、１３ａ、１３ｂ  収納孔
１４、１４ａ、１４ｂ  開口
１５    ねじ
１６    螺着筒
２０    頂壁
２１    側周壁
２３    段部
【図１】
0004056707.tif 000002
【図２】
0004056707.tif 000003
【図３】
0004056707.tif 000004
【図４】
0004056707.tif 000005
【図５】
0004056707.tif 000006